(57)【要約】【課題】そのままの状態で送付することができ、且つ受け取った顧客が開封用のミシン目に沿って切り取ることにより簡単に開封することができる封緘した冊子状印刷物を提供することにある。【解決手段】表裏の表紙と複数枚の本紙が一方の端縁の綴じ部にて綴じられた冊子状印刷物であって、表裏の表紙のいずれか一方を綴じ部と反対側の端縁にて開封用のミシン目を介して所定寸法だけ外方に延出させて封緘片を形成し、封緘片をミシン目にて他方の表紙側外面に折り曲げて接着部にて接着することにより、綴じ部と反対側の端縁を開封可能に封緘した構成の封緘した冊子状印刷物である。【選択図】　　　　図１
2004009481.tif 000002
【特許請求の範囲】
【請求項１】
表裏の表紙と複数枚の本紙が一方の端縁の綴じ部にて綴じられた冊子状印刷物であって、表裏の表紙のいずれか一方を綴じ部と反対側の端縁にてミシン目を介して所定寸法だけ外方に延出させて封緘片を形成し、前記封緘片を前記ミシン目にて他方の表紙側外面に折り曲げて接着部にて接着することにより、綴じ部と反対側の端縁を開封可能に封緘した構成からなることを特徴とする封緘した冊子状印刷物。
【請求項２】
前記ミシン目が上下の端縁部においてミシン目が形成されない所定寸法のミシン目非形成部を有する構成としたことを特徴とする請求項１記載の封緘した冊子状印刷物。
【請求項３】
前記一方の表紙には、送付先の住所、氏名等の宛名情報がプリントされていることを特徴とする請求項１または２記載の封緘した冊子状印刷物。
【請求項４】
前記封緘片の印刷絵柄と前記封緘片が接着される他方の表紙の印刷絵柄が連続する状態で形成されていることを特徴とする請求項１〜３のいずれかに記載の封緘した冊子状印刷物。
【発明の詳細な説明】
【０００１】
【発明の属する技術分野】
本発明は、そのままの状態で送付することができ、且つ受け取った顧客が簡単に開封できる封緘した冊子状印刷物に関する。
【０００２】
【従来の技術】
従来、封緘した冊子状印刷物としては、例えば、実開平４−９４４８０号公報に記載されているような、表裏いずれか一方の表紙または印刷物本体と一体に製本した特別紙の少なくとも一方に、封緘片を連続させ、この封緘片を折り返して反対側の表紙または特別紙に接着する構成の封緘用印刷物、ないしは、実開昭４８−３７２２６号公報に記載されているような、雑誌の表表紙並びに裏表紙のサイズに相当する封筒用紙の中心線より一側片の先端縁を延長して接着片とし、更にこの封筒用紙には名宛人住所氏名欄並びに発送人住所氏名欄或いは郵便切手貼付ける枠及び郵便番号枠等を適宜に印刷するとともにこの封筒用紙の中心線において雑誌の綴着部に同時に之を綴込むことを特徴とする封筒付き雑誌等が知られている。
【０００３】
しかしながら、前者の封緘用印刷物では、ミシン目が表紙と封緘片の折目に形成されているのではなく、封緘片における封緘片の折目とのり代間の位置に形成されているので、ミシン目に沿って切り取り難いため開封しにくいという欠点があり、後者の封筒付き雑誌では、受取人側において封筒用紙の接着片をナイフ等にて切り離して開封するものであり、開封しにくいという欠点がある。
【０００４】
【発明が解決しようとする課題】
本発明は、そのままの状態で送付することができ、且つ受け取った顧客が簡単にミシン目に沿って切り取って開封することができる封緘した冊子状印刷物を提供することにある。
【０００５】
【課題を解決するための手段】
表裏の表紙と複数枚の本紙が一方の端縁の綴じ部にて綴じられた冊子状印刷物であって、表裏の表紙のいずれか一方を綴じ部と反対側の端縁にてミシン目を介して所定寸法だけ外方に延出させて封緘片を形成し、封緘片をミシン目にて他方の表紙側外面に折り曲げて接着部にて接着することにより、綴じ部と反対側の端縁を開封可能に封緘した構成とすることにより、作製された際に封緘された状態となっているので、外装することなくそのまま送付することができる。また、この封緘された冊子状印刷物を受け取った顧客は、一方の表紙と封緘片間の折目に形成されたミシン目に沿って切り取って簡単に開封して冊子状印刷物とすることができるので、印刷された内容が見やすく且つ顧客に対する訴求効果の大きいチラシ等として使用することができる。
【０００６】
前記封緘した冊子状印刷物において、ミシン目が上下の端縁部においてミシン目が形成されない所定寸法のミシン目非形成部を有する構成とすることにより、郵送等の取扱い中においてミシン目の上下の端縁部から破れて開封されてしまうのを防止することができる。
【０００７】
前記封緘した冊子状印刷物において、一方の表紙に送付先の住所、氏名等の宛名情報がプリントされている構成とすることにより、封緘した冊子状印刷物を作製してそのまま送付することができる。
【０００８】
前記封緘した冊子状印刷物において、封緘片の印刷絵柄と封緘片が接着される他方の表紙の印刷絵柄が連続する状態で形成されている構成とすることにより、作製された封緘した冊子状印刷物において、封緘片の端縁で印刷絵柄が連続した状態となるので意匠性の優れたものとすることができる。
【０００９】
【発明の実施の形態】
以下、図面を引用して本発明の実施の形態を説明する。
図１は本発明の実施形態を示す斜視図、図２は図１におけるＩ−Ｉ断面図、図３は実施形態のミシン目に沿って開封した状態を示す斜視図、図４は実施形態の封緘する前の状態を示す斜視図であり、１，２は表紙、３は本紙、４は封緘片、５は綴じ部、６はミシン目、７はミシン目非形成部、８は接着部を表す。
【００１０】
本発明の実施形態は、立てた状態の斜視図が図１に示すとおりであり、横方向の断面図が図２に示すとおりであって、表紙１と表紙２と複数枚の本紙３が一方の端縁にて綴じ部５により中綴じされて綴じられ、他方の端縁にて表紙１の端縁に沿って開封用のミシン目６を介して所定寸法だけ外方に延出させ形成された封緘片４を、ミシン目６の部分にて折り曲げて接着部８にて表紙２側の外面に接着して封緘した構成であり、ミシン目６は上下の端縁部において一定寸法だけミシン目が形成されていないミシン目非形成部７とされているものである。尚、このミシン目非形成部７については、使用する紙の強度やミシン目形状、寸法、間隔等により必ずしも設ける必要はなく、上下端に渡って一定間隔に形成される連続状のミシン目として形成されたものであっても勿論良いものである。
【００１１】
図示しないが、表紙１の外面には表紙１及び表紙２を作製する工程において、所定位置に郵便等で送付するための郵便番号、送付先住所、送付先氏名、宛名コードの宛名情報等がデータ出力によりプリントされている。したがって、作製された封緘した冊子状印刷物は別に外装を必要とせずにそのまま郵送等を行うことができる。そして、ミシン目６は上下の端縁部において一定寸法だけミシン目が形成されていないミシン目非形成部７とされているので、郵送時等の取扱い中にミシン目の端縁から破れて開封されてしまうのを防止できる。また、表紙２の外面には、封緘片４を貼り付けて封緘した際に、封緘片４の絵柄と表紙２の絵柄が連続するように印刷されているので、裏面側の意匠性をも優れたものとすることができる。
【００１２】
実施形態においては、本紙３が６枚からなる構成としているが、本紙３の枚数に関しては、印刷する情報の量により任意に変更することができる。また、綴じ方についても、実施形態では中綴じとされているが、平綴じ、無線綴じとすることもできる。
【００１３】
実施形態の封緘した冊子状印刷物を、表紙１と封緘片４の折目に形成されている開封用のミシン目６に沿って切り取ることにより簡単に開封して、図３に示す開封した状態とすることができる。開封した状態で冊子状となるので、印刷された情報が見やすくなるとともに、受け取った顧客に対してきわめて訴求効果の大きい宣伝用のチラシ等として使用できるものである。
【００１４】
実施形態の封緘する前の状態の斜視図は図４に示すとおりである。封緘片４と表紙１と表紙２が連接され、封緘片４と表紙１間に開封用のミシン目６が形成された表紙紙片と、２枚の本紙３が連接された所定枚数の本紙紙片とを、封緘片４が端縁から突出するように重ね合わせて、表紙紙片の表紙１と表紙２間及び本紙紙片の２枚の本紙３間で中綴じして、綴じ部にて折り曲げることにより、実施形態の封緘する前の図４に示すような状態となる。次いで、封緘片４の接着部８に接着剤を塗布して、表紙２側外面に折り返して接着することにより、実施形態の封緘した冊子状印刷物となる。
【００１５】
【発明の効果】
表裏の表紙と複数枚の本紙が一方の端縁の綴じ部にて綴じられた冊子状印刷物であって、表裏の表紙のいずれか一方を綴じ部と反対側の端縁にてミシン目を介して所定寸法だけ外方に延出させて封緘片を形成し、封緘片をミシン目にて他方の表紙側外面に折り曲げて接着部にて接着することにより、綴じ部と反対側の端縁を開封可能に封緘した構成とすることにより、外装を行う必要がなくそのままの状態で郵便等で送付することができる。また、この封緘された冊子状印刷物を受け取った顧客は、一方の表紙と封緘片間の折目に形成された開封用のミシン目に沿って切り取って簡単に開封して冊子状印刷物とすることができるので、印刷された内容が見やすくなるとともに顧客に対する訴求効果の大きい広告用のチラシ等として使用することができる。
【００１６】
上記の封緘した冊子状印刷物において、開封用のミシン目を上下の端縁部においてミシン目が形成されない所定寸法のミシン目非形成部を有する構成とすることにより、ミシン目の上下の端縁部において破れ難くなるので、郵送時等の取扱中においてミシン目が破れて開封されてしまうのを防止することができる。
【００１７】
また、一方の表紙の外面に送付先の住所、氏名等の宛名情報をプリントしておくことにより、作製された封緘した冊子状印刷物をそのまま郵送等を行うことができる。また、他方の表紙の外面の印刷絵柄が封緘片の印刷絵柄と連続するように形成しておくことにより、作製された封緘した冊子状印刷物の他方の表紙面が、封緘片の端縁で印刷絵柄が連続した状態となるので、他方の表紙面の意匠性をも優れたものとすることができる。
【図面の簡単な説明】
【図１】本発明の実施形態を示す斜視図。
【図２】図１におけるＩ−Ｉ断面図。
【図３】実施形態のミシン目に沿って開封した状態を示す斜視図
【図４】実施形態の封緘する前の状態を示す斜視図。
【符号の説明】
１，２　表紙
３　本紙
４　封緘片
５　綴じ部
６　ミシン目
７　ミシン目非形成部
８　接着部
【図１】
2004009481.tif 000003
【図２】
2004009481.tif 000004
【図３】
2004009481.tif 000005
【図４】
2004009481.tif 000006